(57)【要約】【課題】  設置及び維持コストを低減できる壁面緑化装置を提供する。【解決手段】  建物１の壁面に複数段の足場２を架設する。通し穴２ｃを備えたフレーム２ｂは建物１の壁面とは反対側に位置するように架設する。次に、対向する縦方向のフレーム２ｂの通し穴にネット３の紐材を通して結び付け、各フレーム２ｂ間にネット３を張設する。次に、プランター４を対向するフレーム２ｂ間の位置に取り付け、足場２は残置する。その後、プランター４の植物Ｐがネット３に絡みながら上方へ生長し、建物１の壁面を覆うように足場２自体が緑化される。従って、設置後に足場２を撤去する必要がなく、メンテナンスの際も残置した足場２を利用することで、足場２の仮設・撤去を不要にできる。【選択図】図３
0003139215.tif 000002
【実用新案登録請求の範囲】
【請求項１】
足場板とフレームで構成される複数段の足場を建物の壁面に沿って架設し、建物の壁面とは反対側のフレーム間にネットを張設し、足場又はネットの所定位置に植物を植え付けた複数の栽培器を設置し、同栽培器の植物を前記ネットに絡ませながら上方へ生長させて建物の壁面を覆うように緑化できるようにした、壁面緑化装置。
【請求項２】
栽培器が、その両端部に足場のフレームを把持するクランプと、クランプを栽培器に対して横方向へスライド可能に取り付ける取付具とを備えたものである、請求項１記載の壁面緑化装置。
【請求項３】
建物の壁面とは反対側のフレームの側面にネットを結び付けるための紐材を通す通し穴を複数形成した、請求項１又は２記載の壁面緑化装置。
【考案の詳細な説明】
【技術分野】
【０００１】
本考案は、建物の壁面を緑化する壁面緑化装置に関する。
【背景技術】
【０００２】
従来、建物の壁面を緑化する方法としては、建物の壁面に作業用の足場を仮設し、植物を植え付けたプランターと植物を絡ませるネット等を壁面に対して設置作業し、その後足場を撤去する方法がある。しかし、この方法は作業後に足場を撤去する手間を要し、また、メンテナンスの際はその都度足場を仮設・撤去しなければならず、設置及び維持コストがかかる問題があった。
【０００３】
これに対し、作業に足場を使用しない壁面緑化方法が特許文献１で提案されている。この技術は、格子状に組まれたＰＣ鋼線に植物を植え付けた多数のプランターを取り付け、このＰＣ鋼線を建物の屋上から壁面を覆うように吊下して地上に固定し、足場の仮設・撤去を不要にして設置コストを低減できるようにしたことを特徴としている。しかし、前記技術ではメンテナンス時にその都度足場を仮設・撤去しなければならず、依然維持コストがかかる問題があった。
【特許文献１】特開２００２−２７２２７４号公報
【考案の開示】
【考案が解決しようとする課題】
【０００４】
本考案が解決しようとする課題は、従来のこれらの問題点を解消し、設置及び維持コストを低減できる壁面緑化装置を提供することにある。
【課題を解決するための手段】
【０００５】
かかる課題を解決した本考案の構成は、
１）  足場板とフレームで構成される複数段の足場を建物の壁面に沿って架設し、建物の壁面とは反対側のフレーム間にネットを張設し、足場又はネットの所定位置に植物を植え付けた複数の栽培器を設置し、同栽培器の植物を前記ネットに絡ませながら上方へ生長させて建物の壁面を覆うように緑化できるようにした、壁面緑化装置
２）  栽培器が、その両端部に足場のフレームを把持するクランプと、クランプを栽培器に対して横方向へスライド可能に取り付ける取付具とを備えたものである、前記１）記載の壁面緑化装置
３）  建物の壁面とは反対側のフレームの側面にネットを結び付けるための紐材を通す通し穴を複数形成した、前記１）又は２）記載の壁面緑化装置
にある。
【考案の効果】
【０００６】
本考案によれば、架設した足場のネットに植物を絡ませながら生長させて足場自体を緑化するから、設置後に足場を撤去する必要がなく、設置コストを低減できる。また、メンテナンスの際は残置している足場を作業用に利用して任意の箇所をメンテナンス作業できるから、その都度足場を仮設・撤去する必要がなく、維持コストも低減できる。
【考案を実施するための最良の形態】
【０００７】
本考案の栽培器としては、土壌を充填したプランターや育苗ポット等が用いられ、プランターではその両端部に足場のフレームを把持するクランプと、クランプをプランターに対して横方向へスライド可能に取り付ける取付具とを備え、足場のフレームの間隔に合わせて位置を調整できるようにする。足場の壁面とは反対側のフレームの側面にネットを結び付けるための紐材を通す通し穴を複数形成し、ネットを脱落なく確実に張設できるようにする。植物としては、ネットに絡みながら上方へ生長する生長の速いゴーヤやアサガオ等のツル性の植物が用いられる。また、栽培器に水や液肥等を供給する手段を別途設けてもよい。以下、本考案の実施例を図面に基づいて具体的に説明する。
【実施例１】
【０００８】
図１は実施例の壁面緑化装置の側面図、図２は実施例の壁面緑化装置の正面図、図３は実施例のプランター（栽培器）の取り付け状態を示す説明図、図４は実施例のネットの張設を示す説明図である。図中、１は建物、２は足場、２ａは足場板、２ｂはフレーム、２ｃは通し穴、２ｄはアンカー、３はネット、３ａは紐材、４はプランター（栽培器）、４ａはクランプ、４ｂは取付具、５は土壌、Ｐは植物である。
【０００９】
本実施例の足場２は、足場板２ａとその足場板２ａを固定する複数本のフレーム２ｂとフレーム２ｂを建物１の壁面に固定するアンカー２ｄとで構成される。建物１の壁面とは反対側に設置される縦方向のフレーム２ｂの側部にはネット３を張設するための紐材３ａを通す多数の通し穴２ｃを形成している。ネット３はポリエステル樹脂等の耐久性に優れ且つ弾性を有する材料を用い、植物Ｐが絡みやすい間隔の格子状に形成する。
【００１０】
プランター４はプラスチック製で、その両端部に足場２のフレーム２ｂを把持するクランプ４ａと、クランプ４ａをプランター４に対してスライド可能に取り付ける取付具４ｂとを備えている。プランター４には土壌５及び必要に応じて養分を充填しておき、これに植物Ｐの種子又は苗を植え付けておく。
【００１１】
以下、本実施例の壁面緑化装置の設置について説明する。
１）建物１の壁面に複数段の足場２を架設する。通し穴２ｃを備えたフレーム２ｂは建物１の壁面とは反対側に位置するように架設する。
２）対向する縦方向のフレーム２ｂの通し穴２ｃに紐材３ａを通してネット３を結び付け、各フレーム２ｂ間にネット３を張設する。
３）プランター４を対向するフレーム２ｂ間の位置に取り付ける。クランプ４ａの位置は取付具４ｂをフレーム２ｂの間隔に合わせて左右へスライドさせて調整する。プランター４は各段又は複数段おきに取り付ける。プランター４はフレーム２ｂの内側（足場板２ａ側）に取り付けてもよい。
４）架設した足場２は全て残置する。
【００１２】
その後、プランター４の植物Ｐがネット３に絡みながら上方へ生長し、足場２の外側（建物１の壁面とは反対側）が建物１を覆うように緑化される。メンテナンス時は残置した足場２を利用して任意の箇所をメンテナンスする。
【産業上の利用可能性】
【００１３】
本考案の壁面緑化装置は、電力需要の最も多い期間だけ遮熱して高層階の建物の蓄熱を低減する季節限定の温暖化防止策に有用である。
【図面の簡単な説明】
【００１４】
【図１】実施例の壁面緑化装置の側面図である。
【図２】実施例の壁面緑化装置の正面図である。
【図３】実施例のプランター（栽培器）の取り付け状態を示す説明図である。
【図４】実施例のネットの張設を示す説明図である。
【符号の説明】
【００１５】
１  建物
２  足場
２ａ  足場板
２ｂ  フレーム
２ｃ  通し穴
２ｄ  アンカー
３  ネット
３ａ  紐材
４  プランター（栽培器）
４ａ  クランプ
４ｂ  取付具
５  土壌
Ｐ  植物
【図１】
0003139215.tif 000003
【図２】
0003139215.tif 000004
【図３】
0003139215.tif 000005
【図４】
0003139215.tif 000006
【手続補正書】
【提出日】平成19年11月20日(2007.11.20)
【手続補正１】
【補正対象書類名】実用新案登録請求の範囲
【補正対象項目名】請求項１
【補正方法】変更
【補正の内容】
【請求項１】
建物の壁面に沿って架設されるフレームと同フレーム間に渡される複数段の足場板とで構成した足場と、建物の壁面とは反対側のフレームに張設されるネットと、植物を植え付けて足場又はネットの所定位置に設置される複数の栽培器とで構成された、壁面緑化装置。
【手続補正２】
【補正対象書類名】明細書
【補正対象項目名】０００５
【補正方法】変更
【補正の内容】
【０００５】
かかる課題を解決した本考案の構成は、
１）  建物の壁面に沿って架設されるフレームと同フレーム間に渡される複数段の足場板とで構成した足場と、建物の壁面とは反対側のフレームに張設されるネットと、植物を植え付けて足場又はネットの所定位置に設置される複数の栽培器とで構成された、壁面緑化装置
２）  栽培器が、その両端部に足場のフレームを把持するクランプと、クランプを栽培器に対して横方向へスライド可能に取り付ける取付具とを備えたものである、前記１）記載の壁面緑化装置
３）  建物の壁面とは反対側のフレームの側面にネットを結び付けるための紐材を通す通し穴を複数形成した、前記１）又は２）記載の壁面緑化装置
にある。